(57)【要約】【課題】便座の断熱性能を向上し、高い省エネルギ性を備えた便座装置を提供する。【解決手段】本体２００に回動自在に枢支された便座３００は、樹脂材料で形成された環状の上部便座ケース３１０と、上部便座ケース３１０と内周縁と外周縁が相互に接合され、内部に環状の空洞部を形成する樹脂材料で形成された下部便座ケース３２０と、上部便座ケース３１０の下面に設置された便座ヒータ３３０と、便座ヒータ３３０の下面に設置された断熱材３４０と、断熱材３４０の下方に設置され、断熱材３４０を便座ヒータ３３０に押圧支持する断熱材支持部材３５０とを備え、断熱材支持部材３５０は上面３５１に複数の凹陥部３５２を備えることにより、断熱材と断熱材支持部材の間に複数の空洞部が形成されるため、断熱効果の高い空気断熱により断熱材の熱が断熱材支持部材に伝達されることを抑制することが可能となり、便座装置の省エネルギ性を向上することができる。【選択図】図３
2020006055.tif 000002
【特許請求の範囲】
【請求項１】
便器上に設置される本体と、
前記本体に回動自在に枢支された便座と、を含み、
前記便座は、上面に着座面を有し、樹脂材料で形成された環状の上部便座ケースと、
前記上部便座ケースと内周縁と外周縁が相互に接合され、内部に環状の空洞部を形成する樹脂材料で形成された下部便座ケースと、
前記上部便座ケースの下面に設置された便座ヒータと、
前記便座ヒータの下面に設置された断熱材と、
前記断熱材の下方に設置され、前記断熱材を前記便座ヒータに押圧支持する断熱材支持部材と、を備え、
前記断熱材支持部材は上面に複数の凹陥部を備えた構成の、
便座装置。
【請求項２】
前記凹陥部の形状は略半球状に形成された構成の、
請求項１に記載の便座装置。
【請求項３】
前記上部便座ケースと、前記下部便座ケースの内周縁と外周縁は溶着により接合された構成の、
請求項１または２に記載の便座装置。
【発明の詳細な説明】
【技術分野】
【０００１】
本発明は、便座内部に断熱構造を備えた便座装置に関するものである。
【背景技術】
【０００２】
従来、この種の便座装置は、便座内部の断熱構造としては、アルミシートによる均熱体にコードヒータを配設した便座ヒータを便座の座面である座表体の裏面に貼着し、便座ヒータの下面に密着させて断熱材を設置し、断熱材の下面と便座の座裏体との間に金属製のコイルバネや樹脂製のホース等の付勢部材を設置することにより、便座ヒータの熱が便座の下方に伝わることを抑制している（例えば、特許文献１参照）。
【０００３】
図６は特許文献１に記載された従来の便座装置を示すものである。図６に示すように、便座１の座表体２の裏面に、アルミシートの均熱体５にコードヒータ６を配設した便座ヒータ４を粘着してあり、便座ヒータ４の下面に断熱材７を配置し、断熱材の下面と便座の座裏体３との間に付勢部材８を設置し、付勢部材の付勢力で断熱材７を便座ヒータ４に圧着している。
【先行技術文献】
【特許文献】
【０００４】
【特許文献１】特開２００７−６１１１２号公報
【発明の概要】
【発明が解決しようとする課題】
【０００５】
しかしながら、前記従来の特許文献１に記載された構成では、断熱材は便座ヒータの特にコードヒータに密着して配置されており、しかも付勢部材は熱伝導率の高い金属製あるいは断熱材の下面の略全面に亘り密着して設置されている。このような構成の場合、コードヒータの熱の一部は断熱材、付勢部材、便座裏体に熱伝達により順次伝わり、最終的には便座裏体より便座外部に放熱される構成となっており、断熱性能の観点から改良の余地があった。
【０００６】
本発明は、前記従来の課題に鑑みてなされたものであり、便座の断熱性能を向上し、高い省エネルギ性を備えた便座装置を提供することを目的とする。
【課題を解決するための手段】
【０００７】
前記従来の課題を解決するために、本発明の便座装置は、便器上に設置される本体と、本体に回動自在に枢支された便座とを含み、便座は、上面に着座面を有し、樹脂材料で形成された環状の上部便座ケースと、上部便座ケースと内周縁と外周縁が相互に接合され、内部に環状の空洞部を形成する樹脂材料で形成された下部便座ケースと、上部便座ケースの下面に設置された便座ヒータと、便座ヒータの下面に設置された断熱材と、断熱材の下方に設置され、断熱材を便座ヒータに押圧支持する断熱材支持部材とを備え、断熱材支持部材は上面に複数の凹陥部を備えた構成である。
【０００８】
これにより、断熱材と断熱材支持部材の間に複数の空洞部が形成されるため、断熱効果の高い空気断熱により断熱材の熱が断熱材支持部材に伝達されることを抑制することが可能となり、便座装置の省エネルギ性を向上することができる。
【発明の効果】
【０００９】
省エネルギ性の高い便座装置を提供することができる。
【図面の簡単な説明】
【００１０】
【図１】本発明の実施の形態１における便座装置の外観を示す斜視図
【図２】本発明の実施の形態１における便座の完成状態の外観を示す斜視図
【図３】本発明の実施の形態１における便座の完成状態の断面を示す模式図
【図４】本発明の実施の形態１における便座の部品の構成を示す斜視図
【図５】（ａ）は本発明の実施の形態１における断熱材支持部材の上方からの斜視図、（ｂ）は（ａ）に示すＡ部の詳細を示す斜視図
【図６】従来の便座装置の斜視図
【発明を実施するための形態】
【００１１】
第１の発明は、便器上に設置される本体と、前記本体に回動自在に枢支された便座とを含み、前記便座は、上面に着座面を有し、樹脂材料で形成された環状の上部便座ケースと、前記上部便座ケースと内周縁と外周縁が相互に接合され、内部に環状の空洞部を形成する樹脂材料で形成された下部便座ケースと、前記上部便座ケースの下面に設置された便座ヒータと、前記便座ヒータの下面に設置された断熱材と、前記断熱材の下方に設置され、前記断熱材を前記便座ヒータに押圧支持する断熱材支持部材とを備え、前記断熱材支持部材は上面に複数の凹陥部を備えた構成の、便座装置である。
【００１２】
これにより、断熱材と断熱材支持部材の間に複数の空洞部が形成されるため、断熱効果の高い空気断熱により断熱材の熱が断熱材支持部材に伝達されることを抑制することが可能となり、便座装置の省エネルギ性を向上することができる。
【００１３】
第２の発明は、特に第１の発明において、前記凹陥部の形状は略半球状に形成された構成である。
【００１４】
これにより、断熱材支持部材を成型する金型の製造コストを削減することが可能となり、低コストで省エネルギ効果の高い便座装置を提供することができる。
【００１５】
第３の発明は、第１または第２の発明において、前記上部便座ケースと、前記下部便座ケースの内周縁と外周縁は溶着により接合されている構成としたものである。
【００１６】
これにより、前記上部便座ケースと前記下部便座ケースの接合部の密着度が上がるため、便座内部の密閉度が高まるためより断熱性能を向上することができる。また便座の強度を高めることができる。
【００１７】
以下、本発明の実施の形態について、図面を参照しながら説明する。なお、この実施の形態によって本発明が限定されるものではない。
【００１８】
（実施の形態１）
図１は本実施の形態における便座装置を便器上に設置した状態の外観の斜視図を示すものである。
【００１９】
＜１＞便座装置の構成
図１に示すように、便座装置１００は、本体２００、便座３００、便蓋４００により構成され、便器１１０の上面に設置される。
【００２０】
なお、本実施の形態においては便座装置１００の本体２００の設置側を後方、便座３００の設置側を前方とし、前方に向かって右側を右側、後方に向かって左側を左側として各構成要素の配置を説明する。
【００２１】
本体２００には、便座３００および便蓋４００が回動機構を介して開閉可能に取り付けられている。図１に示すように便蓋４００を開放した状態においては、便蓋４００は便座装置１００の最後部に位置するように起立し、便蓋４００を閉蓋した状態では便座３００の上面と本体２００の一部を隠蔽する。便座３００は図１に示すように便器１１０の上面に載置された状態から、便蓋４００と同様に本体の前面部に起立する。
【００２２】
また、便座３００の回動軸を支持する軸受部分には便座３００に着座した人体を検知する着座検知スイッチ（図示せず）が設置されている。この着座検知スイッチは、便座３００に使用者が着座することによる重量変化でスイッチを開閉させることにより、便座３００上に使用者が着座していることを検知するものである。
【００２３】
また、本体２００には、図示しない洗浄水供給機構（図示せず）、熱交換器（図示せず）、洗浄ノズル２０１等からなる洗浄機構と、便器１１０の内面に泡をコートする泡発生機構（図示せず）と、乾燥ユニット（図示せず）と、制御部（図示せず）等が内蔵されている。
【００２４】
浄水供給機構と熱交換器は洗浄ノズル２０１に接続されており、水道配管から供給される洗浄水を熱交換器で加熱することにより温水を洗浄ノズル２０１に供給し、洗浄ノズル２０１から使用者の局部に向けて洗浄水を噴出し、使用者の局部を洗浄するものである。洗浄ノズル２０１はお尻を洗浄するお尻洗浄ノズル部と女性の局部を洗浄するビデノズル部を備えている。
【００２５】
泡発生機構は洗剤を泡立てて便器１１０の内面に向けて噴出し、便器１１０の内面の広い範囲に泡でコートすることにより便器１１０の洗浄効果を高めるとともに汚染を抑制することができる。
【００２６】
また、乾燥ユニットは洗浄水により濡れた局部に向けて温風を噴出し、局部を乾燥することができる。
【００２７】
また、本体２００の右側部には前方に突出するように袖部２１０が設けてあり、袖部２１０の上面には操作部２１１が設けてあり便座装置１００の各機能を操作する複数の操作スイッチ２１２と表示灯２１３が設置されている。
【００２８】
また、袖部２１０の前部には泡発生機構で使用する洗剤を収容する洗剤タンク収容部２１４が設置されている。
【００２９】
なお、洗浄機構と泡発生機構と乾燥ユニットは便座装置１００の必須構成要素ではなく、これらの構成要素を具備しない便座装置１００でもよい。
【００３０】
＜２＞便座の構成
図２は便座の完成状態の外観を示す斜視図であり、図３は便座の完成状態の断面を示す模式図であり、図４は便座を構成する主要部品を示す斜視図である。
【００３１】
図２に示すように、便座３００は略楕円形の環状を成した便座本体部３０１と、便座本体部３０１の後端部より突出する便座支持部３０２を備え、枢支軸３０３を介して本体２００に回動自在に枢支されている。
【００３２】
図４に示すように、便座３００は上面側から、樹脂材料で成型された上部便座ケース３１０と、前部の一部が切り取られた略馬蹄状に形成された２枚のアルミシートの間に線状
ヒータが蛇行形状に配設された便座ヒータ３３０と、アクリル繊維とポリエステル繊維からなる不織布の断熱材３４０と、樹脂材料で成型され断熱材３４０を下方から支持して便座ヒータ３３０に密着させる断熱材支持部材３５０と、樹脂材料で成型された下部便座ケース３２０を主構成部材として構成されている。完成状態では上部便座ケース３１０と下部便座ケース３２０と断熱材支持部材３５０の支持部材内周縁３５４と支持部材外周縁３５５の先端部が接合され内部が中空の環状をなしている。
【００３３】
上部便座ケース３１０はポリプロピレンを主成分とする樹脂材料で成型され、略楕円形の環状の上部本体部３１１と、上部本体部３１１の後端部より突出する上部支持部３１２を備えている。
【００３４】
図３に示すように、上部便座ケース３１０の上部本体部３１１の断面は略山型状であり、上部本体部３１１の上面は着座に適した緩い曲面の着座面３１３が形成されており、内周と外周は下方に向かって屈曲した上部内周縁３１４と上部外周縁３１５が形成されている。
【００３５】
便座ヒータ３３０は、前部の一部が切り取られた略馬蹄状に形成された２枚のアルミシートの間に線状ヒータを蛇行形状に配設された構成となっている。
【００３６】
また、便座ヒータ３３０の表面には図示しない温度検知手段であるサーミスタと過昇防止手段であるサーモスタット設置されている。本実施の形態における便座ヒータ３３０の電気容量は約８００Ｗである。
【００３７】
断熱材３４０は、厚さが約１．８ｍｍのアクリル繊維とポリエステル繊維からなる不織布で成形されている。図４に示すように、前方に配置される右断熱材３４１と、左側に配置される左断熱材３４２と、後方に配置される後断熱材３４３に分割されている。断熱材３４０は下面に粘着剤が添付されており、断熱材支持部材３５０の上面３５１に粘着されている。
【００３８】
断熱材３４０の下方に配置される断熱材支持部材３５０は、ポリプロピレンを主成分とする樹脂材料で成型されている。断熱材支持部材３５０は断熱材３４０の略全面を便座ヒータ３３０に圧着させる構成となっている。断熱材支持部材３５０の詳細は後述する。
【００３９】
下部便座ケース３２０はポリプロピレンを主成分とする樹脂材料で成型されている。平面形状が上部便座ケース３１０の上部本体部３１１と略同形状の下部本体部３２１と、下部本体部３２１の両側後方に斜め上方に突出した下部支持部３２２が形成されている。
【００４０】
下部本体部３２１の内周と外周は上方に向かって屈曲しており下部内周縁３２３と下部外周縁３２４が形成されている。下部内周縁３２３と下部外周縁３２４の外形形状は上部便座ケース３１０の上部内周縁３１４と上部外周縁３１５と略同形状である。
【００４１】
上部便座ケース３１０の上部内周縁３１４と上部外周縁３１５と、下部便座ケース３２０の下部内周縁３２３と下部外周縁３２４と、断熱材支持部材３５０の支持部材内周縁３５４と支持部材外周縁３５５は先端部が相互に当接して振動溶着により結合され、便座３００の内部には空洞部３０４が形成され、外観は連続的な一体形状が形成されている。
【００４２】
＜３＞断熱材支持部材の構成
図５（ａ）は断熱材支持部材の上方からの斜視図であり、（ｂ）は（ａ）に示すＡ部の詳細を示す斜視図である。
【００４３】
図５（ａ）に示すように断熱材支持部材３５０の平面形状は上部便座ケース３１０の上部本体部３１１と略相似形の略楕円形状を成している。断熱材支持部材３５０の上面３５１は厚さが約２．５ｍｍで上部便座ケース３１０と同様に局面に形成されている。断熱材支持部材３５０の上面３５１の略全面に亘り略半球上の凹陥部３５２が複数成型されている。
【００４４】
図５（ｂ）に示すように凹陥部３５２の直径は略５ｍｍで深さは略１ｍｍであり、凹陥部３５２の配設ピッチは略７ｍｍとなっており、断熱材支持部材３５０の上面３５１の面積の略２８％に凹陥部３５２が形成されている。また、隣接する凹陥部３５２の間には２ｍｍ以上の幅の平坦部３５３が連続して形成されている。
【００４５】
断熱材支持部材３５０の内周と外周は下方に向かって屈曲した支持部材内周縁３５４と支持部材外周縁３５５が形成されている。支持部材内周縁３５４と支持部材外周縁３５５は下部便座ケース３２０の下部内周縁３２３と下部外周縁３２４と当接して溶着により結合される構成となっている。
【００４６】
また、支持部材内周縁３５４と支持部材外周縁３５５には間隔を設けて下方が解放された複数のスリット３５６が成型されており、断熱材支持部材３５０が上部便座ケース３１０と下部便座ケース３２０の内面になじみ易い構造となっている。
【００４７】
図３は便座の完成状態の断面を示す模式図であるが、図に示すように、上部便座ケース３１０の下面には便座ヒータ３３０が粘着固定されており、便座ヒータ３３０の下面には断熱材３４０が粘着固定されている。断熱材３４０の下方には断熱材支持部材３５０の上面３５１が当接して設置されており、断熱材３４０を便座ヒータ３３０に押圧する構成となっている。
【００４８】
図３に示すように、断熱材３４０の下面と断熱材支持部材３５０の平坦部３５３は当接し、断熱材３４０の下面と凹陥部３５２の間には略半球状の空洞部が形成されている。
【００４９】
上部便座ケース３１０の上部内周縁３１４と、下部便座ケース３２０の下部内周縁３２３と、断熱材支持部材３５０の支持部材内周縁３５４とは、図３のＢで示すように当接して配置され振動溶着により溶着固定されている。同様に、上部便座ケース３１０の上部外周縁３１５と、下部便座ケース３２０の下部外周縁３２４と、断熱材支持部材３５０の支持部材外周縁３５５とは、図３のＣで示すように当接して配置され振動溶着により溶着されている。
【００５０】
＜４＞便座の動作および作用
上記構成の便座３００を備えた本実施の形態における便座装置１００は、便座ヒータ３３０で発熱した熱の多くは上部便座ケース３１０に熱伝達され着座面３１３を設定温度に保温する。
【００５１】
便座ヒータ３３０より下方に放出された熱の多くは断熱材３４０により下方への移動を抑制される。しかしながら、僅かな熱は断熱材３４０に熱伝達され、断熱材支持部材３５０、下部便座ケース３２０へと順次伝達され最終的に便座３００の外部に放出される。
【００５２】
しかしながら、本実施の形態における便座３００の場合、断熱材３４０と断熱材支持部材３５０の間に空洞部が形成されるため、空気断熱により断熱材支持部材３５０への熱伝達を抑制することができるため、便座３００全体の断熱効果を向上することができ、便座装置１００の省エネルギ効果を高めることができる。
【００５３】
また、上部便座ケース３１０と下部便座ケース３２０と断熱材支持部材３５０の外周縁と内周縁は溶着により接合されているため便座３００の空洞部の密封度が高いため便座３００の内部からの放熱を抑制することができるため、便座３００の熱効率をより向上することができる。また、接合部の強度を高めることができるため、便座３００の強度を向上することができる。
【００５４】
なお、本実施の形態においては、断熱部材を成型する金型の製作コストを配慮して、断熱支持部材の凹陥部の形状は略半球状としたが、これに限るものではなく、例えば、四角等の多角形状や変形形状等の他の形状でもよく、外周が連続していて空洞部が形成可能な形状であればよい。
【産業上の利用可能性】
【００５５】
以上のように、本発明にかかる便座装置は、断熱効率が高く省エネルギ性を向上することが可能となるので、他の暖房器具等の用途にも適用できる。
【符号の説明】
【００５６】
１００  便座装置
１１０  便器
２００  本体
３００  便座
３１０  上部便座ケース
３１３  着座面
３１４  上部内周縁（内周縁）
３１５  上部外周縁（外周縁）
３２０  下部便座ケース
３２３  下部内周縁（内周縁）
３２４  下部外周縁（外周縁）
３３０  便座ヒータ
３４０  断熱材
３５０  断熱材支持部材
３５１  上面
３５２  凹陥部
【図１】
2020006055.tif 000003
【図２】
2020006055.tif 000004
【図３】
2020006055.tif 000005
【図４】
2020006055.tif 000006
【図５】
2020006055.tif 000007
【図６】
2020006055.tif 000008